【事件の表示】
　特許第３０６１５１７号「おにぎり用包装体」の請求項１ないし３に係る特許に対する特許異議の申立てについて、次のとおり決定する。
【結　論】
　訂正を認める。
　特許第３０６１５１７号の請求項１ないし３に係る特許を取り消す。
【理　由】
Ｉ．手続の経緯
　本件特許第３０６１５１７号の請求項１乃至請求項３に係る発明についての出願は、平成５年１１月１９日に特願平５−２９０７９１号として出願され、平成１２年４月２８日にその特許の設定登録がなされ、その後、中国パール販売株式会社より特許異議申立がなされ、取消理由通知がなされ、その指定期間内である平成１３年６月２２日に訂正請求がなされたものである。
　
II．訂正請求
１．訂正の内容
（１）特許請求の範囲の請求項１に係る記載、
「上下方向に切断可能な開封手段を有するとともに、おにぎり用ご飯(20)を被覆可能な大きさをなす外装フィルム(3)と、一部を重合するとともに、その重合した部分を除く周縁部が前記外装フィルム(3)に接着されて前記外装フィルム(3)との間で袋部(21)を形成する左右内装フィルム(4、54)(5、35，55)とからなり、前記袋部(21)に海苔等の巻装物(17)を収容したのち、前記おにぎり用ご飯(20)を前記左右内装フィルム(4、54)(5、35、55)に接触させた状態で外装フィルム(3)で被覆するおにぎり用包装体であって、おにぎり用ご飯を収容した包装体の外装フィルムを開封手段によって切断する際に切断の妨げとなる包装体の重なり部を小さくする切欠部を、包装体(1、31，51)の上下端の両隅部に設けることを特徴とするおにぎり用包装体。」を、
「上下方向に切断可能な開封手段を有するとともに、おにぎり用ご飯を被覆可能な大きさをなす長方形状の外装フィルムと、一部を重合するとともに、その重合した部分を除く周縁部が前記外装フィルムに接着されて前記外装フィルムとの間で袋部を形成する長方形状の左右内装フィルムとからなり、前記袋部に海苔等の巻装物を収容したのち、前記おにぎり用ご飯を前記左右内装フィルムに接触させ、この状態で前記左右内装フィルム及び前記外装フィルムで前記おにぎり用ご飯を被覆して、前記左右内装フィルム及び前記外装フィルムの上端又は下端の両隅部を前記おにぎり用ご飯上で又は前記外装フィルム上で重合させ、前記外装フィルム上で重合させた前記両フィルムの上端又は下端の重なり部をシールにより前記外装フィルム側に止着するおにぎり用包装体であって、前記左右内装フィルム及び前記外装フィルムの上下端の両隅部の接着部に切欠部を設け、両フィルムの上端又は下端の両隅部を前記外装フィルム上で重合させたときに、前記外装フィルムの切断線上に位置する部分に前記切欠部により非重なり部を形成し、この非重なり部を被覆するように、前記両フィルムの上端又は下端の重なり部を除く両隅部の部分をシールにより前記外装フィルム側に止着することを特徴とするおにぎり用包装体。」と訂正する。
（２）明細書の段落【0010】の、
「【問題点を解決するための手段】
　この発明は上記の問題点を解決するために、第１の発明として、上下方向に切断可能な開封手段を有するとともに、おにぎり用ご飯を被覆可能な大きさをなす外装フィルムと、一部を重合するとともに、その重合した部分を除く周縁部が前記外装フィルムに接着されて前記外装フィルムとの間で袋部を形成する左右内装フィルムとからなり、前記袋部に海苔等の巻装物を収容したのち、前記おにぎり用ご飯を前記左右内装フィルムに接触させた状態で外装フィルムで被覆するおにぎり用包装体であって、おにぎり用ご飯を収容した包装体の外装フィルムを開封手段によって切断する際に切断の妨げとなる包装体の重なり部を小さくする切欠部を、包装体の上下端の両隅部に設けるという手段を採用したものである。」を、
「【問題点を解決するための手段】
　この発明は上記の問題点を解決するために、第１の発明として、上下方向に切断可能な開封手段を有するとともに、おにぎり用ご飯を被覆可能な大きさをなす長方形状の外装フィルムと、一部を重合するとともに、その重合した部分を除く周縁部が前記外装フィルムに接着されて前記外装フィルムとの間で袋部を形成する長方形状の左右内装フィルムとからなり、前記袋部に海苔等の巻装物を収容したのち、前記おにぎり用ご飯を前記左右内装フィルムに接触させ、この状態で前記左右内装フィルム及び前記外装フィルムで前記おにぎり用ご飯を被覆して、前記左右内装フィルム及び前記外装フィルムの上端又は下端の両隅部を前記おにぎり用ご飯上で又は前記外装フィルム上で重合させ、前記外装フィルム上で重合させた前記両フィルムの上端又は下端の重なり部をシールにより前記外装フィルム側に止着するおにぎり用包装体であって、前記左右内装フィルム及び前記外装フィルムの上下端の両隅部の接着部に切欠部を設け、両フィルムの上端又は下端の両隅部を前記外装フィルム上で重合させたときに、前記外装フィルムの切断線上に位置する部分に前記切欠部により非重なり部を形成し、この非重なり部を被覆するように、前記両フィルムの上端又は下端の重なり部を除く両隅部の部分をシールにより前記外装フィルム側に止着するという手段を採用したものである。」と訂正する。
（３）明細書段落【0070】の、
「【発明の効果】
　以上のようにこの発明によれば、包装体の上下端の両隅部に、切欠部を設けたことにより、包装状態にある包装体の角部の重なり部が無くなるので、開封時に開封手段で外装フィルムを切断する際、切断の障害となるものがほとんどなくなる。
　つまり、本発明にあっては、包装体の重なり部を小さくしたことで、開封手段による外装フィルムの切断が容易となるので、包装体を容易に、かつ、確実に開封することができる。」を、
「【発明の効果】
　以上のようにこの発明によれば、外装フィルム及び内装フィルムの上端又は下端の重なり部の面積を小さくすることができるとともに、非重なり部を被覆するように重なり部を除く両隅部の部分がシールにより外装フィルム側に止着されることになるので、開封手段により外装フィルムを切断する際、開封手段がシール側から受ける抵抗を小さくすることができることになる。したがって、開封手段が途中で切れてしまって開封が困難になるようなことはなく、重なり部が切断の障害となるようなことはなく、開封手段により外装フィルムを最後まで綺麗に切断することができ、包装体を容易にかつ確実に開封することができることになる。」と訂正する。
２．訂正の目的の適否、新規事項の有無及び拡張・変更の存否
　上記訂正事項（１）は、「外装フィルム」を「長方形状の外装フィルム」に、「左右内装フィルム」を「長方形状の左右内装フィルム」に、「前記おにぎり用ご飯を前記左右内装フィルムに接触させた状態で外装フィルムで被覆する」を「前記おにぎり用ご飯を前記左右内装フィルムに接触させ、この状態で前記左右内装フィルム及び前記外装フィルムで前記おにぎり用ご飯を被覆して、前記左右内装フィルム及び前記外装フィルムの上端又は下端の両隅部を前記おにぎり用ご飯上で又は前記外装フィルム上で重合させ、前記外装フィルム上で重合させた前記両フィルムの上端又は下端の重なり部をシールにより前記外装フィルム側に止着する」に、及び「おにぎり用ご飯を収容した包装体の外装フィルムを開封手段によって切断する際に切断の妨げとなる包装体の重なり部を小さくする切欠部を、包装体の上下端の両隅部に設ける」を「前記左右内装フィルム及び前記外装フィルムの上下端の両隅部の接着部に切欠部を設け、両フィルムの上端又は下端の両隅部を前記外装フィルム上で重合させたときに、前記外装フィルムの切断線上に位置する部分に前記切欠部により非重なり部を形成し、この非重なり部を被覆するように、前記両フィルムの上端又は下端の重なり部を除く両隅部の部分をシールにより前記外装フィルム側に止着する」にそれぞれ訂正するものであるから、特許請求の範囲の減縮に該当し、また、訂正事項（２）及び（３）は、訂正事項（１）に伴う訂正である。
　そして、この訂正は新規事項に該当せず、実質上特許請求の範囲を拡張し、または変更するものではない。
３．むすび
　以上のとおりであるから、本件訂正請求は、特許法１２０条の４,２項及び同条３項で準用する１２６条２項及び３項の規定に適合するので、請求のとおり当該訂正を認める。
　
III．特許異議申立
１．本件発明
　上記II．で示したように、上記訂正は認められるから、本件の請求項１乃至請求項３に係る発明（以下、「本件発明１乃至３」という。）は、上記訂正に係る訂正明細書の特許請求の範囲の請求項１乃至請求項３に記載された事項により特定されるとおりのものである。
２．引用刊行物に記載された発明
　当審で通知した取消理由で引用した本件出願前に頒布された刊行物１（実願平４−２３３３８号（実開平５−８２８５３号）のCD-ROM）は、「おにぎり用包装体」に係り、「実用新案登録請求の範囲」の項には、(a)「【請求項１】開封用の処置が施されている八角形状の外装材フィルム(3)と、該外装材フィルム(3)をほぼ２分割した形状をなし、かつ、ほぼ中央部で重合する２枚の六角形状の内装材フィルム(4、5)とからなり、該内装材フィルム(4、5)が互いに重ねられ、重合する部分を除く周縁部が前記外装材フィルム(3)に接着され、前記外装材フィルム(3)と内装材フィルム(4、5)との間に海苔等の巻装物(17)を収納し、前記内装材フィルム(4、5)の上面におにぎり用御飯(20)を位置して包むことを特徴とするおにぎり用包装体。」、及び(b)「【請求項２】開封用の処置が施されている八角形状の外装材フィルム(3)と、該外装材フィルム(3)をほぼ２分割した形状をなし、かつ、ほぼ中央部で重合する２枚の六角形状の内装材フィルム(4、5)とからなり、該内装材フィルム(4、5)のうち少なくとも一方の内装材フィルム(4、5)に折返し部(6、7)が設けられているとともに、折返し部(6、7)を上にした状態で内装材フィルム(4、5)が互いに重ねられ、重合する部分を除く周縁部が前記外装材フィルム(3)に接着され、前記外装材フィルム(3)と内装材フィルム(4、5)との間に海苔等の巻装物(17)を収納し、前記内装材フィルム(4、5)の上面におにぎり用御飯(20)を位置して包むことを特徴とするおにぎり用包装体。」、並びに、「考案の詳細な説明」の項の段落【0025】には、(c)「このようにして、図５に示すようにおにぎり用御飯20をおにぎり用包装体1で包装したものを形成し、左上部10及び右上部11を紙製のラベル19で止着すると、前記開封用条体2の線上には外装材フィルム3の切断の障害となるものはラベル19以外はほとんどないことになる。」との記載と共に、図面とその簡単な説明として、(d)「【図１】この考案によるおにぎり用包装体の第１の実施例を示す概略図である。」及び(e)「【図５】この考案によるおにぎり用包装体の第１の実施例において、おにぎり用包装体によって包まれたおにぎり用御飯を示す正面図である。」が記載されている。
　同刊行物２（実願平２−１１６３６６号（実開平４−７１４８５号）のマイクロフィルム）には、「実用新案登録請求の範囲」の項に、(f)「矩形状の外装フイルム１とその内面のほぼ中央において重合するよう配置された一対の隔離フイルム２，３とを具備し、上記外装フイルム１のほぼ中央で隔離フイルム２，３の重合端縁に沿った位置にカットテープ９を設けると共に、当該外装フイルム１の外縁に対して隔離フイルム２，３の外縁を重合しつつ上記カットテープ９を除いて熱シール４し、これにより外装フイルム１と一対の隔離フイルム２，３との間におにぎり用御飯８と非接触状態で海苔５を収納可能な袋状の海苔収納部６を形成したおにぎり包装用フイルムにおいて、該包装用フイルムの上辺シール部分の１部をカットテープ９に対してほぼ対称に斜めに切欠くと共に、さらに当該切欠き上端を上方へカットテープ９に対してほぼ並行に直線状に切欠いたことを特徴とするおにぎり包装用フイルム。」、及び「考案の詳細な説明」の項には、(g)「この際、上辺側の両角部には切欠き部分があるため、カットテープに対する包装用フイルムの重合部分が極めて少なく、カットテープによる包装用フイルムの開封の支障となることがない。」（６頁5〜8行）との記載と共に、図面とその簡単は説明として、(h)「第４図はフイルム内側におにぎり用御飯を載せ、フイルムの一部を折込んだ状態を示す内面図」及び(i)「第５図はおにぎり用御飯をフイルムで完全に包んだ状態を示す外面図」がそれぞれ記載されている。
３．対比・判断
（本件発明１について）
　上記(a)、(c)乃至(e)、及び図面の記載によると、刊行物１には、「上下方向に切断可能な開封手段を有するとともに、おにぎり用ご飯を被覆可能な大きさをなす八角形状の外装フィルムと、一部を重合するとともに、その重合した部分を除く周縁部が前記外装フィルムに接着されて前記外装フィルムとの間で袋部を形成する六角形状の左右内装フィルムとからなり、前記袋部に海苔等の巻装物を収容したのち、前記おにぎり用ご飯を前記左右内装フィルムに接触させ、この状態で前記左右内装フィルム及び前記外装フィルムで前記おにぎり用ご飯を被覆して、前記左右内装フィルム及び前記外装フィルムの上端又は下端の左上部及び右上部を前記おにぎり用ご飯上で又は前記外装フィルム上で重合させ、前記外装フィルム上で重合させた前記両フィルムの上端又は下端の重なり部をシールにより前記外装フィルム側に止着する八角形状のおにぎり用包装体であって、両フィルムの上端又は下端の左上部及び右上部を前記外装フィルム上で重合させたときに、前記外装フィルムの切断線上に位置する部分に非重なり部を形成し、この非重なり部を被覆するように、前記両フィルムの上端又は下端の重なり部を除く左上部及び右上部の部分をシールにより前記外装フィルム側に止着することを特徴とするおにぎり用包装体。」が記載されているといえる。
　そこで、本件発明１と刊行物１に記載された発明とを対比するに、本件発明１の「上端又は下端の両隅部」は、刊行物１の「左右上部10、11」に相当するから、両者は、「上下方向に切断可能な開封手段を有するとともに、おにぎり用ご飯を被覆可能な大きさをなす外装フィルムと、一部を重合するとともに、その重合した部分を除く周縁部が前記外装フィルムに接着されて前記外装フィルムとの間で袋部を形成する左右内装フィルムとからなり、前記袋部に海苔等の巻装物を収容したのち、前記おにぎり用ご飯を前記左右内装フィルムに接触させ、この状態で前記左右内装フィルム及び前記外装フィルムで前記おにぎり用ご飯を被覆して、前記左右内装フィルム及び前記外装フィルムの上端又は下端の両隅部を前記おにぎり用ご飯上で又は前記外装フィルム上で重合させ、前記外装フィルム上で重合させた前記両フィルムの上端又は下端の重なり部をシールにより前記外装フィルム側に止着するおにぎり用包装体であって、両フィルムの上端又は下端の両隅部を前記外装フィルム上で重合させたときに、前記外装フィルムの切断線上に位置する部分に非重なり部を形成し、この非重なり部を被覆するように、前記両フィルムの上端又は下端の重なり部を除く両隅部の部分をシールにより前記外装フィルム側に止着することを特徴とするおにぎり用包装体。」である点で一致し、「外装フィルムの切断線上に位置する部分に非重なり部を形成」させるため、前者では、「長方形状の左右内装フィルム及び長方形状の外装フィルムの上下端の両隅部の接着部に切欠部を設け」るのに対し、後者では、「八角形状」にしている点で相違する。
　この相違点について検討するに、上記(f)乃至(i)、及び図面の記載によると、刊行物２には、「上下方向に切断可能な開封手段を有するとともに、おにぎり用ご飯を被覆可能な大きさをなす長方形状の外装フィルムと、一部を重合するとともに、その重合した部分を除く周縁部が前記外装フィルムに接着されて前記外装フィルムとの間で袋部を形成する長方形状の左右内装フィルム（隔離フイルム）とからなり、前記袋部に海苔等の巻装物を収容したのち、前記おにぎり用ご飯を前記左右内装フィルムに接触させた状態で外装フィルムで被覆するおにぎり用包装体であって、前記左右内装フィルム及び前記外装フィルムの一端の両隅部の接着部に切欠部を設け、両フィルムの上端又は下端の両隅部を前記外装フィルム上で重合させたときに、前記外装フィルムの切断線上に位置する部分に前記切欠部により非重なり部を形成したことを特徴とするおにぎり用包装体。」が開示されているといえる。
　しかるに、刊行物２に記載の事項は、刊行物１に記載の事項と同じ「おにぎり用包装体」に関するものであり、しかも外装フィルムの切断の障害を解消しようとするものであるから、刊行物１における「八角形状」を「長方形状の左右内装フィルム及び長方形状の外装フィルムの上下端の両隅部の接着部に切欠部を設け」た形状にすることは、当業者にとって格別困難なことではない。
　そして、本件発明１に係る効果も、刊行物１及び刊行物２に記載の事項から予測されるところを超えて優れているとはいえない。
　したがって、本件発明１は、刊行物１及び刊行物２に記載された発明に基づき当業者が容易に発明をすることができたといえる。　
（本件発明２について）
　本件発明２は、「前記切欠部は、前記外装フィルムと左右内装フィルムとの間で所定の幅となっている接着部の幅内で設けられている請求項１記載のおにぎり用包装体。」であるところ、刊行物２においても、「切欠部は、外装フィルムと左右内装フィルムとの間で所定の幅となっている接着部の幅内で設けられている」構成になっているから、本件発明２は、刊行物１及び刊行物２に記載された発明に基づき当業者が容易に発明をすることができたといえる。
（本件発明３について）
　本件発明３は、「前記左右内装フィルムのうちの少なくとも一方の内装フィルムに折返し部を設け、この折返し部を内面側に位置させた状態で前記左右内装フィルムを互いに重ね合わせてある請求項１記載のおにぎり用包装体。」である。
　しかるに、上記(b)の記載によると、刊行物１には、内装フィルムのうち少なくとも一方の内装フィルムに折返し部が設けることが記載されているから、本件発明３は、刊行物１及び刊行物２に記載された発明に基づき当業者が容易に発明をすることができたといえる。
４．むすび
　以上のとおりであるから、本件発明１乃至３の特許は、特許法２９条２項の規定に違反してされたものであるから、同法１１３条２号に該当し、取り消されるべきものである。　
　よって結論のとおり決定する。
【異議決定日】
平成１４年５月２７日（２００２．５．２７）
【訂正の要旨】
（訂正の要旨）
（１）特許請求の範囲の請求項１に係る記載、
「上下方向に切断可能な開封手段を有するとともに、おにぎり用ご飯（２０）を被覆可能な大きさをなす外装フィルム（３）と、一部を重合するとともに、その重合した部分を除く周縁部が前記外装フィルム（３）に接着されて前記外装フィルム（３）との間で袋部（２１）を形成する左右内装フィルム（４、５４）（５、３５，５５）とからなり、前記袋部（２１）に海苔等の巻装物（１７）を収容したのち、前記おにぎり用ご飯（２０）を前記左右内装フィルム（４、５４）（５、３５、５５）に接触させた状態で外装フィルム（３）で被覆するおにぎり用包装体であって、おにぎり用ご飯を収容した包装体の外装フィルムを開封手段によって切断する際に切断の妨げとなる包装体の重なり部を小さくする切欠部を、包装体（１、３１，５１）の上下端の両隅部に設けることを特徴とするおにぎり用包装体。」を、特許請求の範囲の減縮を目的として、
「上下方向に切断可能な開封手段を有するとともに、おにぎり用ご飯を被覆可能な大きさをなす長方形状の外装フィルムと、一部を重合するとともに、その重合した部分を除く周縁部が前記外装フィルムに接着されて前記外装フィルムとの間で袋部を形成する長方形状の左右内装フィルムとからなり、前記袋部に海苔等の巻装物を収容したのち、前記おにぎり用ご飯を前記左右内装フィルムに接触させ、この状態で前記左右内装フィルム及び前記外装フィルムで前記おにぎり用ご飯を被覆して、前記左右内装フィルム及び前記外装フィルムの上端又は下端の両隅部を前記おにぎり用ご飯上で又は前記外装フィルム上で重合させ、前記外装フィルム上で重合させた前記両フィルムの上端又は下端の重なり部をシールにより前記外装フィルム側に止着するおにぎり用包装体であって、前記左右内装フィルム及び前記外装フィルムの上下端の両隅部の接着部に切欠部を設け、両フィルムの上端又は下端の両隅部を前記外装フィルム上で重合させたときに、前記外装フィルムの切断線上に位置する部分に前記切欠部により非重なり部を形成し、この非重なり部を被覆するように、前記両フィルムの上端又は下端の重なり部を除く両隅部の部分をシールにより前記外装フィルム側に止着することを特徴とするおにぎり用包装体。」と訂正する。
（２）明細書の段落【００１０】の、
「【問題点を解決するための手段】
　この発明は上記の問題点を解決するために、第１の発明として、上下方向に切断可能な開封手段を有するとともに、おにぎり用ご飯を被覆可能な大きさをなす外装フィルムと、一部を重合するとともに、その重合した部分を除く周縁部が前記外装フィルムに接着されて前記外装フィルムとの間で袋部を形成する左右内装フィルムとからなり、前記袋部に海苔等の巻装物を収容したのち、前記おにぎり用ご飯を前記左右内装フィルムに接触させた状態で外装フィルムで被覆するおにぎり用包装体であって、おにぎり用ご飯を収容した包装体の外装フィルムを開封手段によって切断する際に切断の妨げとなる包装体の重なり部を小さくする切欠部を、包装体の上下端の両隅部に設けるという手段を採用したものである。」を、明りょうでない記載の釈明を目的として、
「【問題点を解決するための手段】
　この発明は上記の問題点を解決するために、第１の発明として、上下方向に切断可能な開封手段を有するとともに、おにぎり用ご飯を被覆可能な大きさをなす長方形状の外装フィルムと、一部を重合するとともに、その重合した部分を除く周縁部が前記外装フィルムに接着されて前記外装フィルムとの間で袋部を形成する長方形状の左右内装フィルムとからなり、前記袋部に海苔等の巻装物を収容したのち、前記おにぎり用ご飯を前記左右内装フィルムに接触させ、この状態で前記左右内装フィルム及び前記外装フィルムで前記おにぎり用ご飯を被覆して、前記左右内装フィルム及び前記外装フィルムの上端又は下端の両隅部を前記おにぎり用ご飯上で又は前記外装フィルム上で重合させ、前記外装フィルム上で重合させた前記両フィルムの上端又は下端の重なり部をシールにより前記外装フィルム側に止着するおにぎり用包装体であって、前記左右内装フィルム及び前記外装フィルムの上下端の両隅部の接着部に切欠部を設け、両フィルムの上端又は下端の両隅部を前記外装フィルム上で重合させたときに、前記外装フィルムの切断線上に位置する部分に前記切欠部により非重なり部を形成し、この非重なり部を被覆するように、前記両フィルムの上端又は下端の重なり部を除く両隅部の部分をシールにより前記外装フィルム側に止着するという手段を採用したものである。」と訂正する。
（３）明細書段落【００７０】の、
「【発明の効果】
　以上のようにこの発明によれば、包装体の上下端の両隅部に、切欠部を設けたことにより、包装状態にある包装体の角部の重なり部が無くなるので、開封時に開封手段で外装フィルムを切断する際、切断の障害となるものがほとんどなくなる。
　つまり、本発明にあっては、包装体の重なり部を小さくしたことで、開封手段による外装フィルムの切断が容易となるので、包装体を容易に、かつ、確実に開封することができる。」を、明りょうでない記載の釈明を目的として、
「【発明の効果】
　以上のようにこの発明によれば、外装フィルム及び内装フィルムの上端又は下端の重なり部の面積を小さくすることができるとともに、非重なり部を被覆するように重なり部を除く両隅部の部分がシールにより外装フィルム側に止着されることになるので、開封手段により外装フィルムを切断する際、開封手段がシール側から受ける抵抗を小さくすることができることになる。したがって、開封手段が途中で切れてしまって開封が困難になるようなことはなく、重なり部が切断の障害となるようなことはなく、開封手段により外装フィルムを最後まで綺麗に切断することができ、包装体を容易にかつ確実に開封することができることになる。」と訂正する。
（５４）【発明の名称】
おにぎり用包装体
（５７）【特許請求の範囲】
　【請求項１】　上下方向に切断可能な開封手段を有するとともに、おにぎり用ご飯を被覆可能な大きさをなす
長方形状の
長方形状の
、この状態で前記左右内装フィルム及び前記外装フィルムで前記おにぎり用ご飯を被覆して、前記左右内装フィルム及び前記外装フィルムの上端又は下端の両隅部を前記おにぎり用ご飯上で又は前記外装フィルム上で重合させ、前記外装フィルム上で重合させた前記両フィルムの上端又は下端の重なり部をシールにより前記外装フィルム側に止着する
　
前記左右内装フィルム及び前記外装フィルムの上下端の両隅部の接着部に切欠部を設け、両フィルムの上端又は下端の両隅部を前記外装フィルム上で重合させたときに、前記外装フィルムの切断線上に位置する部分に前記切欠部により非重なり部を形成し、この非重なり部を被覆するように、前記両フィルムの上端又は下端の重なり部を除く両隅部の部分をシールにより前記外装フィルム側に止着する
　【請求項２】前記切欠部は、前記外装フィルムと左右内装フィルムとの間で所定の幅となっている接着部の幅内で設けられている請求項１記載のおにぎり用包装体。
　【請求項３】前記左右内装フィルムのうちの少なくとも一方の内装フィルムに折返し部を設け、この折返し部を内面側に位置させた状態で前記左右内装フィルムを互いに重ね合わせてある請求項１記載のおにぎり用包装体。
【発明の詳細な説明】
　【０００１】
　【産業上の利用分野】
　この発明はおにぎり用包装体に関し、特に、海苔等の巻装物とご飯とを区画した状態で包装するのに適し、開封が容易なおにぎり用包装体に関するものである。
　【０００２】
　【従来の技術およびその問題点】
　一般に、コンビニエンスストア等で販売されているおにぎりは、図１２および図１３に示すようなおにぎり用包装体７１によって包装されている。
　すなわち、図１２および図１３に示すおにぎり用包装体７１は、外装フィルム７３と、この外装フィルム７３と協働して袋部９１を形成する左右内装フィルム７４、７５とからなる。
　【０００３】
　図において、外装フィルム７３は長方形状をなし、また、左右内装フィルム７４、７５は外装フィルム７３を縦方向に２分割したものよりも若干大きな幅となっている長方形状をなしている。左右内装フイルム７４、７５は、外装フィルム７３の中央部で相互に非接着で重なり合うようにして配置され、その重合した部分を除く４辺が熱接着されてシールされる。これにより、外装フィルム７３と左右内装フィルム７４、７５との間で袋部９１を形成してある。
　【０００４】
　外装フィルム７３には開封手段が設けられる。この開封手段は、外装フィルム７３の内面側にその上下端間に接着した開封用条体７２と、外装フィルム７３の上端部に開封用条体７２を挟むようにして設けられるノッチ８６とで形成される。
　【０００５】
　そして、上記の包装体７１でおにぎり用ご飯９０を巻装物である海苔８７とともに包装するには、まず、袋部９１内に海苔８７を収容したのち、ご飯９０を左右内装フィルム７４、７５に接触させ、その状態で、図１４に示すように外装フィルム７３でご飯９０の全体を被覆して包装する。次いで、包装体７１は、ラベル等のシール８９が貼着されることにより、その所定の被覆状態が保持され、包装が完了する。
　【０００６】
　上記のように包装してある包装体７１を開封するには、まず、開封用条体７２の端部を他端側へ向かって引っ張って取り去り、これにより、外装フィルム７３を縦に切断して左右の各半部に分断する。こうして切り開かれた包装体７１は、こののち、その外装フィルム７３の各半部を片方ずつ引っ張ることにより、外装フィルム７３の左半部と左内装フィルム７４とが熱接着部７８で一体になったものと、外装フィルム７３の右半部と右内装フィルム７５とが熱接着部７９で一体になったものとが片方ずつ取り去られることとなる。すると、ご飯９０に海苔８７が巻き付いた状態で内容物が露出し、おにぎりが完成するようになっている。
　【０００７】
　しかしながら、上記のように構成されたおにぎり用包装体７１にあっては、うまく開封することができないことがあった。
　すなわち、包装体７１が包装状態にあるときには、その右上部８１と左上部８０とが互いに角部どうしで深く重なっている重なり部Ｇが存在し、この重なり部Ｇが開くのを防止するために、表示用または装飾用を目的とした紙製のシール８９を貼着してある。
　【０００８】
　このため、開封用条体７２を引っ張った際に、重なり部Ｇが開封用条体７２の進行を妨げることになるので、開封用条体７２が途中で切れたりして開封用条体７２をうまく取り去ることができなくなる恐れがあった。したがって、このような場合、外装フィルム７３が綺麗に２つに切断されなくなるので、却って開封に手間取るといった問題点があった。
　【０００９】
　この発明は上記の問題点を解消するものであって、開封手段による切断を容易に、かつ、確実にし、簡単に２分割して開封することができるおにぎり用包装体を提供することを目的とする。
　【００１０】
　【問題点を解決するための手段】
　この発明は上記の問題点を解決するために、第１の発明として、上下方向に切断可能な開封手段を有するとともに、おにぎり用ご飯を被覆可能な大きさをなす
長方形状の
長方形状の
、この状態で前記左右内装フィルム及び前記外装フィルムで前記おにぎり用ご飯を被覆して、前記左右内装フィルム及び前記外装フィルムの上端又は下端の両隅部を前記おにぎり用ご飯上で又は前記外装フィルム上で重合させ、前記外装フィルム上で重合させた前記両フィルムの上端又は下端の重なり部をシールにより前記外装フィルム側に止着する
前記左右内装フィルム及び前記外装フィルムの上下端の両隅部の接着部に切欠部を設け、両フィルムの上端又は下端の両隅部を前記外装フィルム上で重合させたときに、前記外装フィルムの切断線上に位置する部分に前記切欠部により非重なり部を形成し、この非重なり部を被覆するように、前記両フィルムの上端又は下端の重なり部を除く両隅部の部分をシールにより前記外装フィルム側に止着する
　【００１１】
　また、第１の発明を含む第２の発明として、前記切欠部は、前記外装フィルムと左右内装フィルムとの間で所定の幅となっている接着部の幅内で設けられているという手段を採用したものである。
　また、第１の発明を含む第３の発明として、前記左右内装フィルムのうちの少なくとも一方の内装フィルムに折返し部を設け、この折返し部を内面側に位置させた状態で前記左右内装フィルムを互いに重ね合わせてあるという手段を採用したものである。
　【００１２】
　【作用】
　この発明は上記の手段を採用したことにより、おにぎり用ご飯を巻装物とともに包装したおにぎり用包装体は、開封手段により外装フィルムを縦に切断して２つに分断したのち、包装体の左右各半部を側方へ引っ張ることで左右内装フィルムが外装フィルムの各半部と一体に取り去られることとなる。
　【００１３】
　そして、この発明にあっては、開封を容易に、かつ、確実にすることができるようになっている。
　すなわち、包装体の隅部に、切欠部を設けたことにより、包装体には角部が無くなるので、内容物を包装した時点での包装体の重なり部を非常に小さくすることができる。つまり、包装状態にあるときの包装体は、角部どうしの重なりが無くなることで重なり部の面積を実質的に小さくすることができる。したがって、開封手段で外装フィルムを切断する際に、切断の障害となるものがほとんどなくなり、スムーズに開封をすることができることとなる。
　【００１４】
　また、包装体の上下端の両隅に切欠部を設けたことにより、上下のいずれの方向からでも包装することが可能となるので、作業効率の向上を図ることもできる。
　しかも、このとき、切欠部を接着部の幅内に設けた場合には、シール性を確保することができるので袋部内の密封状態が良好に維持され、巻装物が外部の湿気で湿ったりすることがなく好適である。
　【００１５】
　さらに、内装フィルムに折返し部を設けた場合には、包装体の分断後に左右各半部を側方へ引っ張った際に、折返し部がご飯から剥がされるようにして移動するため、ご飯の形状を崩さないようにしておにぎりを完成させることができるようになっている。
　【００１６】
　【実施例】
　以下、図面に示すこの発明の実施例を説明する。
　図１乃至図３に、この発明によるおにぎり用包装体の第１実施例を示してある。図１はおにぎり用包装体の内装側を示す概略裏面図であり、図２は図１に示すおにぎり用包装体の外装側を示す概略表面図であり、図３は図１におけるＡ−Ａ線断面図である。
　【００１７】
　すなわち、図１乃至図３に示すおにぎり用包装体１は、開封用条体２が接着された外装フィルム３と、この外装フィルム３と協働して袋部２１を形成する左右内装フィルム４、５とからなる。左右内装フィルム４、５は一部を互いに非接着で重合して、その重合した部分を除く周縁部を外装フィルム３に熱接着してある。そして、この熱接着部８、９の上下端の両隅部に、平行切欠部１８ａと傾斜切欠部１８ｂとからなる切欠部１８、１８、……を形成したものである。
　【００１８】
　図１乃至図３において、外装フィルム３は、熱接着性を有する汎用フィルムが使用され、おにぎり用ご飯２０を被覆可能な大きさで縦長の方形状をなすように形成されたものである。
　【００１９】
　この外装フィルム３には開封手段が設けられていて、開封手段は、開封用条体２とノッチ１６とで形成される。
　開封用条体２は、外装フィルム３の内面側の短辺方向中央部に、その上端部から下端部に至るように配置されて接着される。このとき、開封用条体２は、容易に切断されない程度に一定の強度を有したものが使用される。
　【００２０】
　ノッチ１６は、開封用条体２が位置する外装フィルム３の部位のうち上下両端部側に、開封用条体２を挟んだ状態で対をなして設けられる。この場合、ノッチ１６、１６は、外装フィルム３の上下端部に設けたものを示したが、いずれか一方の端部だけに設けてもよい。つまり、ノッチ１６、１６は少なくとも開封始端側となる端部に設けてあればよいものである。
　【００２１】
　そして、このノッチ１６、１６の存在により、開封用条体２の端部が摘み部２ａとして形成されるとともに、外装フィルム３の切断の契機となり、同時に、開封初期の切断方向が案内される。このため、ノッチ１６、１６により形成される一方端の摘み部２ａを摘んでこれを他方端へ向かって引っ張ると、外装フィルム３に対する開封用条体２の初期の進行が容易となるので、外装フィルム３の切断をスムーズにすることができる。このとき、開封用条体２は外装フィルム３の上下端間に設けられているので、開封用条体２を引っ張って除去することで外装フィルム３が縦に切断されて２つに分断されることとなる。
　【００２２】
　外装フィルム３の内面側の全域には袋部２１を形成する。この袋部２１は、外装フィルム３に左内装フィルム４および右内装フィルム５を接着することにより、各フィルム３、４、５間で形成される。そして、この袋部２１は、その内面側でご飯２０の全面を被覆することができるようになっている。
　【００２３】
　左右内装フィルム４、５は、それぞれ熱接着性を有する汎用性フィルムが使用されて、縦長の方形状に形成されているものである。ここでは、各内装フィルム４、５は、その幅が外装フィルム３の縦半部の幅よりも若干長いものが使用される。
　【００２４】
　左内装フィルム４は、その左側端を外装フィルム３の左側端に、また、上下端を外装フィルム３の上下端にそれぞれ一致させるとともに、右側端が開封用条体２を越える状態で配置し、これにより、左内装フィルム４で外装フィルム３の左半部内面側の全域を覆うようにしてある。そして、左内装フィルム４は、その左側端と、上下端の左端部から開封用条体２の近傍に至る部位とが外装フィルム３に対して所定幅で熱接着されてシールされる。
　【００２５】
　右内装フィルム５は、その右側端を外装フィルム３の右側端に、また、上下端を外装フィルム３の上下端にそれぞれ一致させるとともに、左側端が開封用条体２を越える状態で配置し、これにより、右内装フィルム５で外装フィルム３の右半部内面側の全域を覆うようにしてある。そして、右内装フィルム５は、その右側端と、上下端の右端部から開封用条体２の近傍に至る部位とが外装フィルム３に対して所定幅で熱接着されてシールされる。
　【００２６】
　この場合、左内装フィルム４の右側端側の部位と、右内装フィルム５の左側端側の部位とは、外装フィルム３の短辺方向中央部で互いに非接着で重なった状態で配置され、その重合部分が縦方向を向くようにしてある。そして、その左右内装フィルム４、５の重合部分に対応した部分に開封用条体２が位置するようにしてある。
　したがって、両内装フィルム４、５と外装フィルム３とが協働して袋部２１が形成され、この袋部２１の内部に、外部から区画された空間が形成されるようになっている。
　【００２７】
　そして、左内装フィルム４と右内装フィルム５とはその重合部分が互いに非接着であるので、開封用条体２を取り去って外装フィルム３を２つに分断すると、両内装フィルム４、５は互いに左右方向へ分割可能となる。つまり、開封用条体２を取り去ることで外装フィルム３を幅方向中央部で縦に切断すると、外装フィルム３の左半部と左内装フィルム４とが熱接着部８で一体になったものと、外装フィルム３の右半部と右内装フィルム５とが熱接着部９で一体になったものとに分割することができるようになっている。
　【００２８】
　このおにぎり用包装体１の隅部には切欠部１８、１８、……を設ける。この切欠部１８、１８、……は、各々平行切欠部１８ａと傾斜切欠部１８ｂとからなり、それぞれ包装体１の上下端の両隅部において熱接着部８、９の幅内に形成してある。このとき、平行切欠部１８ａは、包装体１の上下方向、すなわち開封用条体２と平行に形成されて開封方向を向くようにし、また、傾斜切欠部１８ｂは、斜め方向で平行切欠部１８ａと連なって包装体１の側端部に至るようにし、それぞれ直線状に形成される。
　【００２９】
　上記のように構成されたおにぎり用包装体１を用いておにぎり用ご飯２０を包装するには、まず、巻装物である例えば海苔１７を左右内装フィルム４、５の重合部分から挿入して袋部２１内に収容する。次いで、左右内装フィルム４、５の内面側に、食するのに手頃な大きさで三角形状に握ってあるご飯２０を接触させる。
　【００３０】
　ここで、海苔１７を袋部２１に収容するには、包装体１の製作過程において、外装フィルム３の内面側に海苔１７を配置したのち、この海苔１７の内面側に中央部で左右内装フィルム４、５を重合した状態で配置し、その周縁部の４辺のうち重合部分を除く部位を熱接着するようにしてもよい。
　なお、海苔１７は、ご飯２０の全面を覆うことができる程度の大きさをなしていることが必要であり、ここでは、袋部２１内の空間の形状に合致するように方形状をなしたものが使用される。
　【００３１】
　ご飯２０は、包装体１の内面下端部に位置させて被覆される。まず、ご飯２０は、図４に示すように、その一の頂部を下方に向けた状態で包装体１の短辺方向中央部に配置し、かつ、そのとき、ご飯２０は長辺方向中央部よりも下端側に偏った部位に位置させる。
　【００３２】
　そして、ご飯２０を左右内装フィルム４、５に接触させた状態で、包装体１の左右下部１２、１３を折り曲げる。まず、包装体１の右下部１３は、ご飯２０の右下斜面に沿って図４中のａ方向へ折り曲げられ、その折り曲げられた部位をご飯２０に接触させる。同様に、包装体１の左下部１２は、ご飯２０の左下斜面に沿って図中のｂ方向へ折り曲げられ、その折り曲げられた部位をご飯２０に接触させる。
　【００３３】
　次いで、包装体１の上端部側の半部でご飯２０を被覆する。つまり、包装体１の上半部をご飯２０の上面に沿って図４中のｃ方向へ折り曲げ、その折り曲げられた部位をご飯２０に接触させ、図５に示すような状態にする。
　続いて、包装体１の左右上部１０、１１を折り曲げる。まず、包装体１の右上部１１は、ご飯２０の右下斜面に沿って図５中のｄ方向へ折り曲げられ、その折り曲げられた部位を右下部１３の外面に重ねる。同様に、包装体１の左上部１０は、ご飯２０の左下斜面に沿って図中のｅ方向へ折り曲げられ、その折り曲げられた部位を左下部１２の外面に重ねる。このとき、包装体１は、図６に示すように、右上部１１と右下部１３との間、左上部１０と左下部１２との間は、それぞれ熱接着等により点状に接着して保持するのが好ましい。
　【００３４】
　この結果、包装体１は、図６に示すように、ご飯２０の全面を覆うように包むことになる。このとき、包装体１の左上部１０と右上部１１との間は、ラベル等の紙製のシール１９が跨ぐように貼られて止着され、これにより、包装体１は、ご飯２０を覆った状態で保持される。この場合、図示したように、シール１９の一部を外装フィルム３にも接触するように貼着すると、包装体１の止着がより完全になるので好ましい。
　【００３５】
　次に、上記のものの作用を説明する。
　上記のように包装体１で包装された内容物を食する場合には、開封用条体２を取り去って外装フィルム３を２つに分断したのち、包装体１の左右各半部を引っ張る。すると、ご飯２０に海苔１７が被さった状態で内容物が露出し、おにぎりが完成する。
　【００３６】
　まず、袋部２１に海苔１７を収容した状態でご飯２０を包装してある包装体１を開封するには、包装体１の上端側でノッチ１６、１６により摘み部２ａとして形成された開封用条体２の端部を持って、これをご飯２０の表面に沿って、包装体１の下端側に位置する開封用条体２の摘み部２ａへ向かって引っ張る。すると、外装フィルム３は、開封用条体２の進行に伴って、当該開封用条体２に沿って切断され、または開封用条体２と一体となって一部が取り去られるようになる。
　この結果、外装フィルム３は、その短辺方向中央部において縦方向に真っ直ぐに切断され、包装体１が左半部と右半部とに２分割されることとなる。
　【００３７】
　こののち、外装フィルム３の右半部の右端頂部を持って右側方へ引っ張ると、熱接着部９で接着された右内装フィルム５と外装フィルム３の右半部とが一緒に取り去られる。このとき、右内装フィルム５はご飯２０と海苔１７との間に位置しているので、右内装フィルム５は、その内面でご飯２０の表面と滑り、また、外面で海苔１７と滑りながら右側方へ移動し、海苔１７の隙間を介して外方へ取り去られる。このため、図７に示すように、ご飯２０の右半部が海苔１７で覆われた状態で露出することになる。
　【００３８】
　次いで、海苔１７を右半部のご飯２０に押し付けた状態で手で持ち、この他方で前記と同様に外装フィルム３の左半部の左端頂部を持って左側方へ引っ張ると、熱接着部８で接着された左内装フィルム４と外装フィルム３の左半部とが一緒に取り去られる。このとき、左内装フィルム４はご飯２０と海苔１７との間に位置しているので、左内装フィルム４は、その内面でご飯２０の表面と滑り、また、外面で海苔１７と滑りながら左側方へ移動し、海苔１７の隙間を介して外方へ取り去られる。このため、ご飯２０の左半部も海苔１７で覆われた状態で露出することになる。
　【００３９】
　上記の結果として、ご飯２０の全体が海苔１７で覆われた状態で得られることとなり、これによっておにぎりが完成し、簡易に食することができるようになっている。
　なお、上記の場合、包装体１の右半部を先に取り去るようにしたが、図示した第１実施例のものでは左半部から取り去ることが望ましい。つまり、包装体１は、左内装フィルム４の右側端がご飯２０に接触していない状態で包装してあるので、この状態から包装体１の左半部を先に引っ張ることで、左内装フィルム４とご飯２０との間に摩擦を発生させないようにすることができる。
　【００４０】
　上記の場合、袋部２１内に海苔１７を収容した状態でご飯２０を包むようにしたので、おにぎりとして食する直前まで海苔１７がご飯２０に接触しないようになっている。このため、包装状態にあるときに、海苔１７がご飯２０の水分で湿らないようになっているので、海苔１７の風味を損なうことがない。したがって、開封と同時にいつでもおいしいおにぎりを食することができる。
　【００４１】
　また、左右内装フィルム４、５を互いに非接着で重合した状態で、その周縁部を外装フィルム３と接着し、その非接着部位を通るようにして外装フィルム３を２分割に切断する開封用条体２を設けたことにより、外装フィルム３の各半部を分離する際に左内装フィルム４と右内装フィルム５とを分割することができるようになっている。このため、開封用条体２を取り去ることで分離された外装フィルム３は、その各半部を引っ張ることで同時に各内装フィルム４、５を分割して取り去ることができる。
　しかも、内外装フィルム３、４、５を取り去ることで、同時に、ご飯２０に海苔１７が被さった状態でおにぎりを完成することになる。したがって、開封と同時に海苔１７とご飯２０とを簡単に合体させることができるので、手間をかけずに簡単におにぎりを食することができることとなる。
　【００４２】
　そして、上記のおにぎり用包装体１にあっては、開封時に、開封用条体２の除去を容易に、かつ、確実にすることができるようになっている。
　【００４３】
　すなわち、包装体１の両隅部に切欠部１８、１８、……を設けたことにより、図６に示すように、開封用条体２が位置する短辺方向中央部での左上部１０と右上部１１との重なり部Ｇを小さくすることができるようになっている。
　つまり、包装体１の両隅部に、平行切欠部１８ａと傾斜切欠部１８ｂとからなる略台形状の切欠部１８、１８、……を設けたことにより、左上部１０および右上部１１の各角部が無くなるので、これにより、包装状態にあるときの包装体１の角部どうしの重なりがなくなることになる。このため、開封用条体２が外装フィルム３を切断する線上には切断の障害となるものは、シール１９以外はほとんどなくなることになる。したがって、開封時に、重なり部Ｇが開封用条体２の進行を妨げないので、開封用条体２による外装フィルム３の切断が容易となり、包装体１の分断を確実にすることができる。
　【００４４】
　また、上記のおにぎり用包装体１にあっては、包装方向を増やすことができる。
　【００４５】
　すなわち、包装体１の上下端の両隅部に切欠部１８、１８、……を設けるとともに、開封用条体２の上下端部に摘み部２ａを設けたので、包装体１の左右上部１０、１１の外面側に左右下部１２、１３を重ねるようにして包装することもできる。
　つまり、上記実施例の場合では、包装体１の左右下部１２、１３の外面側に左右上部１０、１１を重ねるようにしてあるので、包装体１の上端の両隅部に設けた切欠部１８、１８が左右上部の１０、１１の重なり部Ｇを大きく減少させることになる。これと同様に、包装体１の左右上部１０、１１の外面側に左右下部１２、１３を重ねるように包装した場合でも、包装体１の下端の両隅部に設けた切欠部１８、１８が左右下部の１２、１３の重なり部Ｇを大きく減少させることになる。
　【００４６】
　したがって、上記の包装体１は上下いずれの半部からご飯２０に接触して被覆するようにしても、開封用条体２の線上での包装体１の重なり部Ｇを小さくすることができるので、包装作業時における包装体１の上下方向の判断を不要とすることができる。
　【００４７】
　しかも、熱接着部８、９の幅内に切欠部１８、１８、……を形成したことにより、袋部２１が外部と連通しないようにしてある。このため、袋部２１内の密封性が確保されるようになるので、海苔１７が外部の大気中に含まれる湿気で湿るようなことは無く、海苔１７の風味を維持することができる。
　【００４８】
　次に、第２実施例を図８および図９に基づいて説明する。
　図８はおにぎり用包装体の内装側を示す概略裏面図であり、図９は図８におけるＢ−Ｂ線断面図である。
　すなわち、図８および図９に示すおにぎり用包装体３１は、上記第１実施例における左右内装フィルム４、５のうちいずれか一方の内装フィルム５を変形したものである。つまり、図示した包装体３１に使用される右内装フィルム３５には折返し部３７が形成されている。
　なお、他の構成は上記第１実施例と同様であるので、同一の符号を付すことにより詳細な説明は省略する。
　【００４９】
　図８および図９において、右内装フィルム３５は、前記第１実施例における右内装フィルム５よりも幅の大きい縦長の方形状をなしている。この右内装フィルム３５は、その右側端を外装フィルム３の右側端に、また、上下端を外装フィルム３の上下端にそれぞれ一致させた状態で、外装フィルム３の右半部内面を覆うようにして配置される。このとき、右内装フィルム３５の左側端は、左内装フィルム４の内面右側端側の部位に非接着で重なった状態で配置される。
　【００５０】
　この右内装フィルム３５には、左内装フィルム４の右側端を越えた部位が内面側へ折り返されて折返し部３７が形成される。この場合、その折り目が開封用条体２を越えるようにしておく。そして、右内装フィルム３５は、その右側端と、上下端の右端部から開封用条体２の近傍に至る部位とが外装フィルム３に対して所定の幅で熱接着されてシールされる。
　【００５１】
　そして、上記のように構成された包装体３１にあっては、前記第１実施例で説明した作用の他に、ご飯２０を傷めずに包装体３１を取り去ることができるようになっている。
　【００５２】
　すなわち、右内装フィルム３５の左側端には折返し部３７が形成されているので、外装フィルム３を分断したのち右半部側の包装体３１を引っ張った際に、右内装フィルム３５は、ご飯２０に対して剥がれるようにして右方向へ移動するようになっている。
　【００５３】
　つまり、前記第１実施例のように折返し部が形成されていない場合には、右内装フィルム３５は、右半部の包装体３１を右側方へ引っ張ると、ご飯２０の表面と擦れるようにして側方へ移動するために、その擦れる部位に引張り力が作用してご飯２０の形状を崩してしまう恐れがある。この第２実施例によれば、右半部の包装体３１を右側方へ引っ張ると、右内装フィルム３５は、ご飯２０の表面上において、折返し部３７の左側端部（折り目の部位）から右方へ向かって１８０°の方向へ剥離しながら移動することになる。このため、包装体３１を取り去る際にご飯２０に引張り力が加わらないようになるので、ご飯２０の形状が崩れずに常に整った状態で食することができるようになっている。
　【００５４】
　なお、上記の場合、左内装フィルム４は、その右側端部が右内装フィルム３５と外装フィルム３との間に位置してご飯２０に接触していない状態にしてある。このため、開封の際には、包装体３１を分断した後その左半部から先に取り去るようにすれば、左内装フィルム４がご飯２０と擦れないので効果的である。
　【００５５】
　次に、第３実施例を図１０および図１１に基づいて説明する。
　図１０はおにぎり用包装体の内装側を示す概略裏面図であり、図１１は図１０におけるＣ−Ｃ線断面図である。
　すなわち、図１０および図１１に示すおにぎり用包装体５１は、前記第１実施例における左内装フィルム４および右内装フィルム５を変形したものである。つまり、図示した包装体５１に使用される左内装フィルム５４および右内装フィルム５５には折返し部５６、５７が形成されている。
　なお、他の構成は上記第１実施例と同様であるので、同一の符号を付すことにより詳細な説明は省略する。
　【００５６】
　図１０および図１１において、左内装フィルム５４は、前記第１実施例における左内装フィルム４よりも幅の大きい縦長の方形状をなしている。この左内装フィルム５４は、その左側端を外装フィルム３の左側端に、また、上下端を外装フィルム３の上下端にそれぞれ一致させた状態で、外装フィルム３の左半部内面を覆うようにして配置される。そして、左内装フィルム５４は、その左側端と、上下端の左端部から開封用条体２の近傍に至る部位とが外装フィルム３に対して所定の幅で熱接着されてシールされる。
　【００５７】
　右内装フィルム５５は、前記第１実施例における右内装フィルム５よりも幅の大きい縦長の方形状をなしている。この右内装フィルム５５は、その右側端を外装フィルム３の右側端に、また、上下端を外装フィルム３の上下端にそれぞれ一致させた状態で、外装フィルム３の右半部内面を覆うようにして配置される。そして、右内装フィルム５５は、その右側端と、上下端の右端部から開封用条体２の近傍に至る部位とが外装フィルム３に対して所定の幅で熱接着されてシールされる。
　【００５８】
　このとき、右内装フィルム５５の左側端は、左内装フィルム５４の内面右側端側の部位に非接着で重なった状態で配置される。そして、左内装フィルム５４には、右内装フィルム５５の左側端を越えた部位が内面側へ折り返されて折返し部５６が形成され、また、右内装フィルム５５には、左内装フィルム５４の折り目を越えた部位が内面側へ折り返されて折返し部５７が形成される。
　この場合、左右内装フィルム５４、５５の各折り目は、開封用条体２を越えるようにしてあって、左内装フィルム５４と右内装フィルム５５とは、外装フィルム３の短辺方向中央部で非接着で重なった状態で配置されるようにしておく。したがって、左右内装フィルム５４、５５は、その重合部分を除く周縁部が外装フィルム３に対して熱接着されることとなる。
　【００５９】
　そして、上記のように構成された包装体５１にあっては、前記第１実施例で説明した作用の他に、ご飯２０を傷めずに包装体５１を取り去ることができるようになっている。
　【００６０】
　すなわち、右内装フィルム５５の左側端には折返し部５７が形成されているので、外装フィルム３を分断したのち右半部側の包装体５１を引っ張った際に、右内装フィルム５５は、ご飯２０に対して剥がれるようにして右方向へ移動するようになっている。
　【００６１】
　つまり、この第３実施例によれば、右半部の包装体３１を右側方へ引っ張ると、右内装フィルム５５は、ご飯２０の表面上において、折返し部５７の左側端部（折り目の部位）から右方へ向かって１８０°の方向へ剥離しながら移動することになる。このため、包装体５１を取り去る際にご飯２０に引張り力が加わらないようになるので、ご飯２０の形状が崩れずに常に整った状態で食することができるようになっている。
　【００６２】
　また、この第３実施例によれば、包装体５１の分断後に左右いずれの半部から取り去っても、ご飯２０の形状が崩れないようになっている。
　【００６３】
　すなわち、左内装フィルム５４および右内装フィルム５５に折返し部５６、５７が形成されているので、包装体５１の左右いずれの半部を先に引っ張っても、各内装フィルム５４、５５は、ご飯２０に対して剥がれるようにして側方へ移動するようになっている。
　【００６４】
　一般的に、図に示したものにあっては、左内装フィルム５４の折返し部５６が右内装フィルム５５の折返し部５７よりも外面側に位置しているので、包装体５１は左半部から取り去ることが望ましい。つまり、包装体５１は、左内装フィルム５４の右側端がご飯２０に接触していない状態で包装してあるので、この状態から包装体５１の左半部を先に引っ張ることで、左内装フィルム５４とご飯２０との間に摩擦を発生させないようにすることができる。
　【００６５】
　ここで、図に示したものにあっては、右内装フィルム５５の折返し部５７がご飯２０と接触した状態で包装されることになるが、この場合、先に包装体５１の右半部を取り去り、後で残りの左半部を取り去るようにしても、右内装フィルム５５がご飯２０に引張り力を与えることはない。
　【００６６】
　まず、先に包装体５１の右半部を右側方へ引っ張ると、右内装フィルム５５の折返し部５７がご飯２０から剥離しながら移動して取り去られることとなるので、ご飯２０との間に摩擦は生じないようになっている。このように包装体５１の右半部を取り去ると、今度は、左内装フィルム５４の折返し部５６がご飯２０に接触することになる。
　この後、包装体５１の左半部を左側方へ引っ張ると、左内装フィルム５４は、前記右内装フィルム５５の場合と同様に、折返し部５６がご飯２０から剥離しながら移動して取り去られることとなるので、ご飯２０との間に摩擦は生じないようになっている。したがって、包装体５１を取り去る際に、左右いずれの半部から引っ張っても、ご飯２０は左右内装フィルム５４、５５と擦れることがないので、ご飯２０の形状を崩さずにおにぎりを完成することができるようになっている。
　【００６７】
　なお、上記第１実施例乃至第３実施例において、外装フィルム３および左右内装フィルム４、５、３５、５４、５５の材質は特に限定されるものではない。例えば、ポリプロピレン製であっても、また、ポリエチレン製であってもよく、汎用フィルムを使用することができる。特に、左右内装フィルム４、５、３５、５４、５５としては、ご飯２０との離れが良いポリエチレン製のものが好ましいが、湿気を通さず、かつ、ご飯２０との離れが良いものであればよい。
　【００６８】
　また、外装フィルム３の形状は、上記第１実施例乃至第３実施例に示したものに限定されるものではなく、ご飯２０を被覆可能な大きさ、形状をなしてあれば良いものである。さらに、左右内装フィルム４、５、３５、５４、５５の形状も、ご飯２０を被覆する部位に外装フィルム３との間で袋部２１を形成するものであれば、上記第１実施例乃至第３実施例に示したものに限定されない。
　つまり、上記第１実施例乃至第３実施例においては、一例として三角形状のご飯２０を包む包装体１、３１、５１を示したが、包装体１、３１、５１は、ご飯２０の形状に応じて変形可能である。したがって、図示したもののように三角形状のご飯２０に限らず、他の形状例えば円柱体状のご飯２０でも包装することができるものである。
　【００６９】
　さらに、上記第１実施例乃至第３実施例においては、開封手段は、外装フィルム３に開封用条体２を接着したものを示したが、これに限定されない。例えば、外装フィルム３の上下端間に所定間隔で対をなしたミシン目を付与し、このミシン目間で条体ないしは帯体を形成しても良い。
　特に、外装フィルム３を延伸フィルムで形成した場合には、開封手段は、開封用条体２を設けなくて、外装フィルム３の上下端のうちの少なくとも一方端に一対のノッチ１６、１６を設けるだけでもよい。例えば、外装フィルム３を、一軸延伸フィルムまたは二軸延伸フィルムで形成したり、あるいは一軸延伸フィルムと無配向フィルムとの積層品または二軸延伸フィルムと無配向フィルムとの積層品で形成したりした場合には、開封用条体２がなくてもノッチ１６、１６間で形成される摘み部２ａを持って引っ張るだけで、そのノッチ１６、１６間の幅で縦方向に外装フィルム３を切断することができるので、開封の容易性は維持される。また、このように、外装フィルム３に延伸フィルムを用いた場合には、開封手段は、ノッチ１６、１６を設けなくて開封用条体２だけであってもよい。
　【００７０】
　【発明の効果】
　以上のようにこの発明によれば、
外装フィルム及び内装フィルムの上端又は下端の重なり部の面積を小さくすることができるとともに、非重なり部を被覆するように重なり部を除く両隅部の部分がシールにより外装フィルム側に止着されることになるので、開封手段により外装フィルムを切断する際、開封手段がシール側から受ける抵抗を小さくすることができることになる。したがって、開封手段が途中で切れてしまって開封が困難になるようなことはなく、重なり部が切断の障害となるようなことはなく、開封手段により外装フィルムを最後まで綺麗に切断することができ、包装体を容易にかつ確実に開封することができることになる。
　【００７１】
　また、包装体の上下端の両隅部に切欠部を設けたことにより、上下いずれの方向から包装しても、開封手段による切断の障害となる包装体の重なり部を小さくすることができるので、包装時の作業面でメリットがある。
　【００７２】
　しかも、切欠部を接着部の幅内に設けた場合には、海苔等の巻装物を収容する袋部の密封性を確保することができる。このため、袋部内に収容された巻装物が外部の湿気で湿るようなことがなく、いつでもおいしく食することができるという効果がある。
【図面の簡単な説明】
　【図１】
　この発明によるおにぎり用包装体の第１実施例を示す裏面図である。
　【図２】
　図１における表面図である。
　【図３】
　図１におけるＡ−Ａ線断面図である。
　【図４】
　図１に示すおにぎり用包装体を用いておにぎり用ご飯を包む際の第１段階を示す図である。
　【図５】
　図１に示すおにぎり用包装体を用いておにぎり用ご飯を包む際の第２段階を示す図である。
　【図６】
　図１に示すおにぎり用包装体を用いておにぎり用ご飯を包んだ状態を示す図である。
　【図７】
　おにぎり用ご飯を包んだおにぎり用包装体の半部を取り去っておにぎりが露出した状態を示す図である。
　【図８】
　この発明によるおにぎり用包装体の第２実施例を示す図である。
　【図９】
　図８におけるＢ−Ｂ線断面図である。
　【図１０】
　この発明によるおにぎり用包装体の第３実施例を示す図である。
　【図１１】
　図１０におけるＣ−Ｃ線断面図である。
　【図１２】
　従来例を示す図である。
　【図１３】
　図１２におけるＤ−Ｄ線断面図である。
　【図１４】
　図１２に示すおにぎり用包装体を用いておにぎり用ご飯を包んだ状態を示す図である。
　【符号の説明】
　１、３１、５１、７１……おにぎり用包装体
　２、７２……開封用条体
　２ａ……摘み部
　３、７３……外装フィルム
　４、５４、７４……左内装フィルム
　５、３５、５５、７５……右内装フィルム
　８、９、１４、１５、７８、７９……熱接着部
　１０、８０……左上部
　１１、８１……右上部
　１２……左下部
　１３……右下部
　１６、８６……ノッチ
　１７、８７……海苔
　１８……切欠部
　１８ａ……平行切欠部
　１８ｂ……傾斜切欠部
　１９、８９……シール
　２０、９０……おにぎり用ご飯
　２１、９１……袋部
　３７、５６、５７……折返し部
　Ｇ……重なり部